(57)【要約】【課題】画像表示装置の良否を適切に検査することができる検査装置、画像表示装置の検査方法、検査プログラム及び記録媒体を提供すること。【解決手段】右目用画素及び左目用画素を備え、視差により立体視可能な画像を表示する画像表示装置９を検査する検査装置１であって、右目用画素及び左目用画素に、互いに異なる色の右目用画像及び左目用画像をそれぞれ表示させる表示制御部（動作制御部）３１と、右目用画像及び左目用画像のいずれか一方の画像を認識可能な位置における当該一方の画像の色調を取得する色調取得部３２と、を備える。これによれば、右目用画像及び左目用画像の実際の見え方に応じた当該各画像の分離能を評価することができる。【選択図】図１
2010166221.tif 000002
【特許請求の範囲】
【請求項１】
右目用画素及び左目用画素を備え、視差により立体視可能な画像を表示する画像表示装置を検査する検査装置であって、
前記右目用画素及び前記左目用画素に、互いに異なる色の右目用画像及び左目用画像をそれぞれ表示させる表示制御部と、
前記右目用画像及び前記左目用画像のいずれか一方の画像を観察可能な位置における当該一方の画像の色調を取得する色調取得部と、
を備えることを特徴とする検査装置。
【請求項２】
請求項１に記載の検査装置において、
前記表示制御部は、白画像及び黒画像のうち、一方を前記右目用画像として前記右目用画素により表示させ、他方を前記左目用画像として前記左目用画素により表示させ、
前記色調取得部は、前記色調として、前記黒画像の輝度を取得することを特徴とする検査装置。
【請求項３】
請求項１又は請求項２に記載の検査装置において、
前記色調取得部により取得された前記色調と、所定の閾値との比較結果に基づいて、前記画像表示装置の良否を判定する良否判定部を備えることを特徴とする検査装置。
【請求項４】
右目用画素及び左目用画素を備え、視差により立体視可能な画像を表示する画像表示装置を検査する画像表示装置の検査方法であって、
前記右目用画素及び前記左目用画素に、互いに異なる色の右目用画像及び左目用画像をそれぞれ表示させる表示制御工程と、
前記右目用画像及び前記左目用画像のいずれか一方の画像を観察可能な位置における当該一方の画像の色調を取得する色調取得工程と、
を有することを特徴とする画像表示装置の検査方法。
【請求項５】
請求項４に記載の画像表示装置の検査方法において、
前記表示制御工程は、白画像及び黒画像のうち、一方を前記右目用画像として前記右目用画素により表示させ、他方を前記左目用画像として前記左目用画素により表示させ、
前記色調取得工程は、前記色調として、前記黒画像の輝度を取得することを特徴とする画像表示装置の検査方法。
【請求項６】
請求項４又は請求項５に記載の画像表示装置の検査方法において、
前記色調取得工程にて取得された前記色調と、所定の閾値との比較結果に基づいて、前記画像表示装置の良否を判定する良否判定工程を有することを特徴とする画像表示装置の検査方法。
【請求項７】
右目用画素及び左目用画素を備え、視差により立体視可能な画像を表示する画像表示装置を検査する検査装置により実行される検査プログラムであって、
前記検査装置に、
前記右目用画素及び前記左目用画素に、互いに異なる色の右目用画像及び左目用画像をそれぞれ表示させる表示制御ステップと、
前記右目用画像及び前記左目用画像のいずれか一方の画像を観察可能な位置で、前記一方の画像の色調を取得する色調取得ステップと、
を実行させることを特徴とする検査プログラム。
【請求項８】
請求項７に記載の検査プログラムをコンピュータ読取可能に記録したことを特徴とする記録媒体。
【発明の詳細な説明】
【技術分野】
【０００１】
本発明は、視差により立体視可能な画像表示装置を検査する検査装置、当該画像表示装置の検査方法、検査プログラム及び記録媒体に関する。
【背景技術】
【０００２】
従来、右目用画素及び左目用画素を備え、これらにより、右目用画像及び左目用画像を形成して、視差により立体視可能な画像を表示する画像表示装置が知られている（例えば、特許文献１参照）。
この特許文献１に記載の画像表示装置は、照明装置、表示パネル、グリッドアレイ及びバリアー部材を備えている。このうち、表示パネルは、照明装置から入射した光を変調して、観察者の右目に入射させる右目用画像と、左目に入射させる左目用画像とを生成する。グリッドアレイは、横方向（幅方向）に沿って等間隔で配置されるストライプ状のマスクを有し、これらマスク間の隙間であるスリットにより、右目用画像及び左目用画像が分離される。そして、バリアー部材は、隣接する表示画素間の隙間部分に対向して形成された遮光体を備え、スリット越しに、左目用画像が右目により観察され、右目用画像が左目により観察されることを防いでいる。
このような画像表示装置により、左目用画像及び右目用画像を、それぞれ左目及び右目で観察することができ、視差により立体画像を観察することができる。
【０００３】
ところで、上記のような画像表示装置の製造時には、グリッドアレイ及びバリアー部材等により構成される視差バリアーを、表示パネルに接着剤等により固定する。ここで、表示パネルに対する視差バリアーの位置ずれが生じると、右目用画像及び左目用画像の分離が適切に行われない可能性がある。このため、出荷段階で、画像表示装置を検査する必要がある。
このような検査方法として、表示パネル及び視差バリアーに記号等のマーカーをそれぞれ付し、これらマーカーのずれ量に基づいて、表示パネルに視差バリアーが適切に取り付けられているか否か、ひいては、画像表示装置の良否を判定する方法が知られている。
【０００４】
【特許文献１】特開２００５−２６６１１６号公報
【発明の開示】
【発明が解決しようとする課題】
【０００５】
しかしながら、前述の検査方法では、マーカーのずれ量によって表示パネルと視差バリアーとのずれ量を評価しているため、当該ずれ量と実際の見え方とが連関せず、右目用画像と左目用画像との分離能を適切に評価することができないという問題がある。このため、実際の画像の見え方に対応した検査方法が要望されてきた。
【０００６】
本発明の目的は、画像表示装置の良否を適切に検査することができる検査装置、画像表示装置の検査方法、検査プログラム及び記録媒体を提供することである。
【課題を解決するための手段】
【０００７】
前記した目的を達成するために、本発明の検査装置は、右目用画素及び左目用画素を備え、視差により立体視可能な画像を表示する画像表示装置を検査する検査装置であって、前記右目用画素及び前記左目用画素に、互いに異なる色の右目用画像及び左目用画像をそれぞれ表示させる表示制御部と、前記右目用画像及び前記左目用画像のいずれか一方の画像を観察可能な位置における当該一方の画像の色調を取得する色調取得部と、を備えることを特徴とする。
【０００８】
なお、いずれか一方の画像を観察可能な位置としては、例えば、立体視可能な画像を観察する際の観察者の右目又は左目の位置を挙げることができる。また、画像の色調としては、輝度、色度、色温度及び色座標を例示することができる。
ここで、右目用画像及び左目用画像の分離が適切に行われていない場合としては、右目用画像のみが観察される右目に左目用画像の一部が入射する場合、及び、左目用画像のみが観察される左目に右目用画像の一部が入射する場合の少なくともいずれかの場合がある。これらの場合、一方の画像の色調に、他方の画像の色調が混ざり込むこととなるため、当該色調の変化量を指標として、右目用画像及び左目用画像の分離能を評価することができる。
このため、本発明よれば、色調取得部が、例えば、表示された画像を立体画像として観察する際の左目の位置での左目用画像（右目用画像とは異なる色を有する左目用画像）の色調を取得することで、前述のように、左目用画像と右目用画像との分離能を適切に評価することができる。従って、実際の画像の見え方に応じた左目用画像及び右目用画像の分離能を評価することができるので、画像表示装置の良否を適切に検査することができる。
【０００９】
本発明では、前記表示制御部は、白画像及び黒画像のうち、一方を前記右目用画像として前記右目用画素により表示させ、他方を前記左目用画像として前記左目用画素により表示させ、前記色調取得部は、前記色調として、前記黒画像の輝度を取得することが好ましい。
【００１０】
ここで、右目用画像及び左目用画像の分離が適切に行われていると、これら各画像のうち、黒画像である一方の画像を観察可能な位置では、当該黒画像は真の黒画像となるため、色調取得部が取得する黒画像の輝度は略０となる。これに対し、当該分離が適切に行われていないと、黒画像である一方の画像を観察可能な位置では、当該黒画像に白画像である他方の画像が混ざり込むこととなるので、色調取得部が取得する黒画像の輝度は、真の黒画像の場合より増加する。
【００１１】
このため、本発明によれば、表示制御部が、右目用画素及び左目用画素により白画像及び黒画像を表示させ、色調取得部が、黒画像である一方の画像の輝度を取得することにより、当該輝度を指標として、右目用画像及び左目用画像の分離能を精度よく評価することができる。従って、画像表示装置の良否を一層適切に検査することができる。
また、色調取得部が黒画像の輝度を取得するので、検査装置に、画像の色度、色温度及び色座標を検出する比較的高価な計測装置を採用することなく、当該画像の輝度を検出する比較的安価な輝度測定装置（輝度計）を採用することができる。従って、検査装置を安価に構成することができる。また、ＣＭＯＳ（Complementary Metal Oxide Semiconductor）デバイス及びＣＣＤ（Charge Coupled Device）等の汎用な検出手段を用いた場合、色度、色温度及び色座標を検出する場合に比べ、輝度を検出する方が検出精度は高いため、画像表示装置の良否を一層適切に検査することができるほか、検査装置を一層安価に構成することができる。
【００１２】
本発明では、前記色調取得部により取得された前記色調と、所定の閾値との比較結果に基づいて、前記画像表示装置の良否を判定する良否判定部を備えることが好ましい。
本発明によれば、取得された色調と所定の閾値との比較結果に基づいて、良否判定部が、画像表示装置の良否を判定するので、当該画像表示装置の良否判定を簡易に行うことができる。また、この良否判定部による判定結果を、例えば、表示手段によって表示するなどして報知することにより、画像表示装置の良否を把握しやすくなるので、当該画像表示装置の出荷段階での検査工程を一層簡略化することができる。
【００１３】
また、本発明の画像表示装置の検査方法は、右目用画素及び左目用画素を備え、視差により立体視可能な画像を表示する画像表示装置を検査する画像表示装置の検査方法であって、前記右目用画素及び前記左目用画素に、互いに異なる色の右目用画像及び左目用画像をそれぞれ表示させる表示制御工程と、前記右目用画像及び前記左目用画像のいずれか一方の画像を観察可能な位置における当該一方の画像の色調を取得する色調取得工程と、を有することを特徴とする。
【００１４】
本発明によれば、前述の検査装置と同様の効果を奏することができる。
すなわち、表示制御工程により、互いに異なる色の右目用画像及び左目用画像が右目用画素及び左目用画素により表示され、色調取得工程により、当該各画像のうちのいずれか一方の画像を観察可能な位置における当該一方の画像の色調が取得されるので、当該色調の変化量を指標として、画像表示装置の右目用画像及び左目用画像の分離能を評価することができる。従って、当該画像表示装置の良否を適切に検査することができる。
【００１５】
本発明では、前記表示制御工程は、白画像及び黒画像のうち、一方を前記右目用画像として前記右目用画素により表示させ、他方を前記左目用画像として前記左目用画素により表示させ、前記色調取得工程は、前記色調として、前記黒画像の輝度を取得することが好ましい。
本発明によれば、右目用画像及び左目用画像として、白画像及び黒画像をそれぞれ表示させる前述の検査装置と同様の効果を奏することができる。
【００１６】
本発明では、前記色調取得工程にて取得された前記色調と、所定の閾値との比較結果に基づいて、前記画像表示装置の良否を判定する良否判定工程を有することが好ましい。
本発明によれば、良否判定手段を備える前述の検査装置と同様の効果を奏することができる。
【００１７】
また、本発明の検査プログラムは、右目用画素及び左目用画素を備え、視差により立体視可能な画像を表示する画像表示装置を検査する検査装置により実行される検査プログラムであって、前記検査装置に、前記右目用画素及び前記左目用画素に、互いに異なる色の右目用画像及び左目用画像をそれぞれ表示させる表示制御ステップと、前記右目用画像及び前記左目用画像のいずれか一方の画像を観察可能な位置で、前記一方の画像の色調を取得する色調取得ステップと、を実行させることを特徴とする。
本発明によれば、前述の画像表示装置の検査方法と同様の効果を奏することができる。
【００１８】
また、本発明の記録媒体は、前述の検査プログラムをコンピュータ読取可能に記録したことを特徴とする。
本発明によれば、記録媒体にコンピュータ読取可能に記録された検査プログラムを検査装置が読み取って実行することで、前述の検査装置と同様の効果を奏することが可能となる。また、記録媒体として、ＤＡＴ（Digital Audio Tape）等の磁気テープ、ＦＤ（Flexible Disc）等の磁気ディスク、ＣＤ（Compact Disc）及びＤＶＤ（Digital Versatile Disc）等の光ディスク、光磁気ディスク、ハードディスク装置、並びに、半導体メモリー等を用いることができ、これらを利用して、検査プログラムを検査装置にてインストール及び実行することができるほか、当該検査プログラムの配布を容易に行うことができる。
【発明を実施するための最良の形態】
【００１９】
以下、本発明の一実施形態を図面に基づいて説明する。
〔検査装置の全体構成〕
図１は、本実施形態に係る検査装置１の構成を示すブロック図である。
検査装置１は、右目用画素及び左目用画素を備え、当該右目用画素により形成される右目用画像と、左目用画素により形成される左目用画像により構成される立体視可能な画像を表示する画像表示装置を検査するものであり、主に当該右目用画像及び左目用画像の分離能を評価して、当該画像表示装置の良否を判定するものである。
この検査装置１は、図１に示すように、画像表示装置９により表示される右目用画像及び左目用画像のうち、一方の画像の色調を検出する色調検出手段２と、当該検査装置１及び画像表示装置９の動作を制御するほか、当該画像表示装置９の良否を判定する制御手段３と、制御手段３による良否判定結果を報知する報知手段４と、記憶手段５とを備えている。
【００２０】
〔記憶手段の構成〕
記憶手段５は、ＲＯＭ（Random Access Memory）、ＲＡＭ（Read Only Memory）及びハードディスク装置を備えて構成されている。この記憶手段５は、検査装置１の動作に必要な各種プログラム及びデータを記憶しているほか、制御手段３の作業領域を提供する。このようなプログラムとして、記憶手段５は、後述する検査プログラムを記憶している。また、このようなデータとして、記憶手段５は、後述する色調検出手段２により検出された色調（本実施形態では輝度）を記憶するほか、当該検査プログラムの実行時に参照される閾値を記憶している。
【００２１】
〔画像表示装置の構成〕
ここで、検査装置１により検査される画像表示装置９の構成について説明する。
図２は、画像表示装置９の構成を示す横断面図である。
画像表示装置９は、例えば、遊技機に用いられる画像表示装置である。この画像表示装置９は、観察者の左目に入射され、当該左目により観察される画像（左目用画像）と、右目に入射され、当該右目により観察される画像（右目用画像）とを形成し、これらを含み、かつ、視差により立体視可能な画像（立体画像）を表示する。
このような画像表示装置９は、図２に示すように、バックライト９１、液晶パネル９２及び視差バリアー９３を備えている。
【００２２】
バックライト９１は、略Ｗ字状に曲折された冷陰極管と、この冷陰極管の背面側に設けられるリフレクターとから構成され、冷陰極管に電圧印加して生じた放電光を、リフレクターで反射して液晶パネル９２側に射出する。なお、バックライト９１は、このような構成に限らず、Ｌ字状又はＵ字状のエッジタイプの冷陰極管と導光板との組み合わせや、冷陰極管及びリフレクターに代えて、複数のＬＥＤ（Light Emitting Diode）等の固体光源が複数配設された構成を有していてもよい。
【００２３】
図３は、液晶パネル９２の構成を示す模式図である。
液晶パネル９２は、固定画素型の画像形成デバイスであり、図３に示すように、右目用画像を形成する右目用画素９２Ｒと、左目用画像を形成する左目用画素９２Ｌとを備え、これら右目用画素９２Ｒ及び左目用画素９２Ｌが幅方向に沿って交互に平面状に配置された矩形状の画像形成領域を有している。これら各画素９２Ｒ，９２Ｌは、それぞれＲ（赤）、Ｇ（緑）及びＢ（青）のカラーフィルターが光束射出側に配設された３つのサブピクセルにより構成されている。そして、各サブピクセルは、詳しい図示を略したが、一対の透明基板間に密閉封入された液晶に電圧を印加するＴＦＴ（Thin Filmed Transistor）をスイッチング素子として備え、当該ＴＦＴのスイッチングにより、各画素に画像信号として印加される電圧が変化して液晶の配向状態が変化されることで、入射光束が当該画像信号に応じて変調される。
【００２４】
図２に戻り、視差バリアー９３は、画像表示装置９において、左目用画像と右目用画像とを分離する機能を有し、観察者の両目に、当該両画像を個別に入射させる。この視差バリアー９３は、液晶パネル９２の光束射出側に配置される透光性の基板９３１と、当該基板９３１の光束射出側に配置される複数のマスク９３２とを備えている。このような視差バリアー９３は、正面側（光束射出側）から見ると、複数のマスク９３２がストライプ状に配置された構成を有している。各マスク９３２は、互いに隣接する画素９２Ｌ，９２Ｒの境界部分に跨って配置されており、当該各マスク９３２間にはスリット９３３が形成されている。これらスリット９３３を介して、各画素９２Ｌ，９２Ｒを透過した光が、画像表示装置９外に射出される。
【００２５】
基板９３１には、互いに隣接する画素９２Ｌ、９２Ｒの間の隙間に、当該隙間に沿って延びる複数のＶ字溝が形成され、各溝に遮光材料が充填されることで、視差バリアー９３には楔状の遮光体９３４が形成されている。
これら遮光体９３４は、左目用画素９２Ｌから射出された光が左側に進行して観察者の右目に入射するのを規制し、当該光を液晶パネル９２の面の法線方向に対して右側に傾斜した方向に進行させる。このため、画素９２Ｌから射出された左目用画像の光は、観察者の左目ＥＬに入射する。
また、遮光体９３４は、右目用画素９２Ｒから射出された光が右側に進行して観察者の左目に入射するのを規制し、当該光を液晶パネル９２の面の法線方向に対して左側に傾斜した方向に進行させる。このため、画素９２Ｒから射出された右目用画像の光は、観察者の右目ＥＲに入射する。
【００２６】
このような視差バリアー９３は、画像表示装置９の製造段階で、液晶パネル９２の光束射出側に取り付けられる。この視差バリアー９３の液晶パネル９２に対する取付精度は、画像表示装置９における左目用画像及び右目用画像の分離能に寄与し、当該取付精度が高くない場合には、左目用画像と右目用画像との分離が適切に行われない。そして、この場合には、左目用画像の一部が右目に入射して、当該一部が右目用画像に混ざり込む。また、逆に、右目用画像の一部が左目に入射して、当該一部が左目用画像に混ざり込む。このような場合、立体画像が劣化するため、当該画像表示装置９の良否を、検査装置１が検査する。
【００２７】
〔色調検出手段の構成〕
図４は、色調検出手段２の配置位置を示す図である。
図１に戻り、検査装置１の色調検出手段２は、後述する制御手段３による制御下で、画像表示装置９により表示される右目用画像及び左目用画像のいずれか一方の画像の色調を検出するものである。この色調検出手段２は、本実施形態では、左目用画像の輝度を取得するＣＣＤ（Charge Coupled Device）により構成されており、図４に示すように、画像表示装置９に対向する位置で、かつ、左目用画像を観察可能な位置に配置されている。具体的に、検査装置１は、画像表示装置９による右目用画像及び左目用画像の分離が適切に行われている場合に、当該左目用画像の輝度を検出可能な位置、すなわち、左目の位置に配置される。なお、色調検出手段２は、ＣＣＤに代えて、ＣＭＯＳ（Complementary Metal Oxide Semiconductor）デバイスを採用してもよい。
【００２８】
〔制御手段の構成〕
図１に戻り、制御手段３は、色調検出手段２を含む検査装置１全体の動作を制御するほか、画像表示装置９に画像信号を出力して、当該画像表示装置９に右目用画像及び左目用画像を表示させる。この制御手段３は、ＣＰＵ（Central Processing Unit）等が実装された回路基板として構成され、前述の記憶手段５に記憶された各種プログラムに沿って動作する。このような制御手段３は、当該記憶手段５に記憶された検査プログラムの実行時に動作する動作制御部３１、色調取得部３２、良否判定部３３及び結果出力部３４を備えている。
【００２９】
図５は、動作制御部３１により出力された画像信号に応じて右目用画素９２Ｒ及び左目用画素９２Ｌにより形成される右目用画像及び左目用画像を示す図である。
動作制御部３１は、色調検出手段２の動作を制御するほか、画像表示装置９に右目用画像及び左目用画像の画像信号を出力して、当該画像表示装置９の動作を制御する。具体的に、本実施形態では、動作制御部３１は、右目用画像として白画像を、左目用画像として黒画像を表示させる画像信号を、画像表示装置９に出力する。これにより、図５に示すように、画像表示装置９は、右目用画素９２Ｒ（図３参照）により白画像を表示し、左目用画素９２Ｌ（図３参照）により黒画像を表示する。すなわち、動作制御部３１は、本発明の表示制御部に相当する。
【００３０】
図１に戻り、色調取得部３２は、色調検出手段２により右目用画像及び左目用画像の一方の画像から検出された色調を、当該色調検出手段２から取得する。具体的に、本実施形態では、色調取得部３２は、右目用画像及び左目用画像として白画像及び黒画像をそれぞれ表示した画像表示装置９における当該黒画像の輝度を、色調検出手段２から取得する。そして、当該色調取得部３２は、取得された輝度を記憶手段５に記憶させる。
【００３１】
良否判定部３３は、色調取得部３２により取得された輝度と、記憶手段５に予め記憶された閾値とを比較し、これらの比較結果に基づいて、画像表示装置９の良否を判定する。
なお、記憶手段５は、色調検出手段２により取得される真の黒画像（白画像が混ざり込んでいない場合の黒画像）の輝度を０％とし、同じく色調検出手段２により取得される真の白画像（黒画像が混ざり込んでいない場合の白画像）の輝度を１００％とした場合の１０％の輝度を閾値として記憶している。
【００３２】
具体的に、良否判定部３３は、まず、取得された輝度が、当該閾値を越えているか否かを判定する。そして、良否判定部３３は、取得された輝度が閾値を越えていると判定した場合には、左目用画像である黒画像に、右目用画像である白画像が混ざり込んでおり、検査対象の画像表示装置による左目用画像と右目用画像との分離が適切に行われていないと判定して、当該画像表示装置を不良品と判定する。一方、良否判定部３３は、取得された輝度が閾値を越えていないと判定した場合には、検査対象の画像表示装置による左目用画像と右目用画像との分離が適切に行われていると判定して、当該画像表示装置を良品と判定する。なお、上記閾値は、右目用画像及び左目用画像の見え方、並びに、画像表示装置の歩留まり等を考慮して、適宜設定してよい。
結果出力部３４は、良否判定部３３による良否判定結果を、報知手段４に出力する。
【００３３】
〔報知手段の構成〕
報知手段４は、結果出力部３４により出力された良否判定結果を、使用者に報知する。この報知手段４は、本実施形態では、液晶パネル等の表示手段により構成され、当該良否判定結果を示すメッセージ等を表示する。なお、報知手段４は、表示手段に限らず、音声により良否判定結果を報知する音声出力手段や、印刷手段で構成してもよい。
【００３４】
〔検査処理〕
図６は、検査装置１により実行される検査処理の工程を示すフローチャートである。
検査装置１は、前述のように、記憶手段５に記憶された検査プログラムに沿って、以下に示す検査処理を実行し、検査対象である画像表示装置９の良否を判定する。
この検査処理では、図６に示すように、まず、動作制御部３１が、画像表示装置９に前述の画像信号を出力して、右目用画像として白画像を、左目用画像として黒画像を、それぞれ右目用画素９２Ｒ及び左目用画素９２Ｌにより表示させる（ステップＳ１（表示制御工程、表示制御ステップ））。
この後、動作制御部３１が、色調検出手段２を動作させ、色調取得部３２が、当該色調検出手段２により検出された黒画像の輝度を取得する（ステップＳ２（色調取得工程、色調取得ステップ））。なお、この際の色調検出手段２の位置は、前述のように、画像表示装置９により表示される画像（右目用画像及び左目用画像）を立体画像として観察する際の左目の位置である。
【００３５】
次に、良否判定部３３が、ステップＳ２にて取得された輝度と、前述の閾値とを比較して、画像表示装置９の良否を判定する（ステップＳ３（良否判定工程、良否判定ステップ））。
そして、結果出力部３４が、ステップＳ３での判定結果を、報知手段４に出力する（ステップＳ４（報知工程、報知ステップ）。これにより、検査対象の画像表示装置９の良否が、検査装置１の使用者に確認される。
以上により、検査装置１による検査処理が終了する。
なお、ステップＳ４の終了後、色調検出手段２を右目の位置に移動させた上で、再度、前述の検査処理を行い、画像表示装置９の更なる良否判定を行ってもよい。この場合、ステップＳ２にて、右目用画像として黒画像を、左目用画像として白画像をそれぞれ表示させれば、前述のステップＳ３，Ｓ４と同様の処理により、画像表示装置９における右目用画像及び左目用画像の分離能を適切に評価することができる。
【００３６】
以上説明した本実施形態に係る検査装置１によれば、以下の効果がある。
動作制御部３１が、右目用画像及び左目用画像としての白画像及び黒画像を、画像表示装置９の右目用画素９２Ｒ及び左目用画素９２Ｌによりそれぞれ表示させ、色調取得部３２が、画像表示装置９により表示される画像を立体画像として観察する際の観察者の左目の位置に配置された色調検出手段２により検出された黒画像の輝度を取得する。これによれば、当該輝度の高低により、実際の見え方に応じた右目用画像及び左目用画像の分離能を評価することができる。従って、画像表示装置の良否を適切に検査することができる。
【００３７】
また、色調検出手段２が、左目用画像である黒画像の輝度を検出し、色調取得部３２が当該輝度を取得することにより、左目用画像及び右目用画像がそれぞれ近似した色を有する場合に比べ、当該左目用画像及び右目用画像の分離能を精度よく評価することができる。従って、画像表示装置９の良否を一層適切に検査することができる。
更に、色調検出手段２としてＣＣＤを用いて輝度を検出しているので、色度、色温度及び色座標を検出する比較的高価な計測装置を用いる場合に比べ、検査装置１を安価に構成することができる。加えて、当該ＣＣＤは、色度、色温度及び色座標の検出精度より、輝度の検出精度の方が高いので、画像表示装置９の良否をより一層適切に検査することができる。
【００３８】
また、良否判定部３３が、取得された輝度と閾値との比較結果に基づいて、画像表示装置９の良否を判定するので、当該画像表示装置９の良否判定を簡易に行うことができる。また、報知手段４が、良否判定結果を報知するので、当該画像表示装置９の良否を把握しやすくすることができ、画像表示装置９の検査工程を簡略化することができる。
【００３９】
〔実施形態の変形〕
本発明は前述の実施形態に限定されるものではなく、本発明の目的を達成できる範囲での変形、改良等は本発明に含まれるものである。
前述の実施形態では、色調検出手段２は、画像表示装置９により表示される画像を立体画像として観察する際の観察者の左目の位置に配置され、表示される左目用画像の輝度を検出するとしたが、本発明はこれに限らない。すなわち、色調検出手段２が配置される位置は、右目の位置でもよい。また、前述のように、左目の位置での左目用画像の色調の検出、及び、右目の位置での右目用画像の色調の検出をそれぞれ行い、これらの色調に基づいて、画像表示装置の良否を判定するようにしてもよい。
【００４０】
前述の実施形態では、色調検出手段２は画像の色調として輝度を検出し、色調取得部３２は当該輝度を取得するとしたが、本発明はこれに限らない。すなわち、色調検出手段及び色調取得部は、色度、色温度及び色座標等の画像の色情報を検出及び取得するように構成してもよい。この場合、良否判定部３３が、当該色情報を評価すればよく、例えば、当該良否判定部３３が、当該色情報と、記憶手段５に記憶された色情報に応じた閾値とを比較して、画像表示装置の良否を判定するように構成すればよい。
【００４１】
前述の実施形態では、右目用画像として白画像を右目用画素９２Ｒに表示させ、また、左目用画像として黒画像を左目用画素９２Ｌに表示させたが、本発明はこれに限らない。例えば、前述のように、右目用画像として黒画像を形成させ、左目用画像として白画像を形成させてもよい。すなわち、右目用画像及び左目用画像の色が、それぞれ異なっていれば、例えば赤色及び青色など、当該各画像の色は問わない。この場合、互いの画像の色が補色関係にあれば、一方の画像に他方の画像が混ざり込んだか否か、すなわち、各画像の分離が適切に行われているか否かを評価しやすくすることができる。また、色調検出手段が検出する輝度は、黒画像の輝度に限らず、白画像の輝度でもよく、他の色の画像の輝度でもよい。
【００４２】
前述の実施形態では、画像表示装置９は、基板９３１、マスク９３２、スリット９３３及び遮光体９３４を有する視差バリアー９３を備えるとしたが、本発明はこれに限らない。すなわち、左目用画像と右目用画像とを分離可能な構成であれば、他の構成を有する画像表示装置でもよい。例えば、液晶パネル９２の光束入射側又は光束射出側に、複数の微小なレンチキュラーレンズを配設し、当該各レンズにより、右目用画像及び左目用画像をそれぞれ右目及び左目に入射させる構成を備えた画像表示装置も、本発明に係る検査装置の検査対象となり得る。
【００４３】
前述の実施形態では、検査装置１の検査対象として、液晶パネル９２を備える画像表示装置９を挙げたが、本発明はこれに限らない。すなわち、バックライト９１及び液晶パネル９２に代えて、有機ＥＬ（Electro-Luminescence）やプラズマ等の自己発光素子を有するパネルを備えた構成でもよく、また、ＣＲＴ（Cathode Ray Tube）を採用することも可能である。
【００４４】
前述の実施形態では、立体視可能な画像を表示する画像表示装置として、２視点を有する画像表示装置９を挙げたが、本発明はこれに限らず、２視点以上の画像表示装置を検査する検査装置に、本発明を適用することも可能である。この場合、それぞれ異なる色の右目用画像及び左目用画像を表示させ、それぞれの視点で、一方の画像の色調を取得するように構成すればよい。
【００４５】
前述の実施形態では、画像表示装置９は、幅方向に沿って、右目用画素９２Ｒ及び左目用画素９２Ｌが交互に配設される液晶パネル９２を備えるとしたが、本発明はこれに限らず、右目用画素及び左目用画素の配列パターンは、適宜選択可能である。すなわち、右目用画像と左目用画像とが、それぞれ個別に右目及び左目で観察可能に構成された画像表示装置であれば、その構成は問わない。
【００４６】
前述の実施形態では、検査プログラムは、ＲＯＭ、ＲＡＭ及びハードディスク装置により構成される記憶手段５に記憶されているとしたが、本発明はこれに限らない。すなわち、当該検査プログラムは、他の形式の記録媒体に記録されていてもよい。例えば、ディスク型記録媒体や半導体メモリー等に記録された検査プログラムを、検査装置が前述の検査処理の実行時に読み込むように構成してもよい。
【産業上の利用可能性】
【００４７】
本発明は、視差により立体視可能な画像を表示する画像表示装置の検査装置に好適に利用することができる。
【図面の簡単な説明】
【００４８】
【図１】本発明の一実施形態に係る検査装置の構成を示すブロック図。
【図２】本発明の一実施形態における画像表示装置の構成を示す横断面図。
【図３】本発明の一実施形態における液晶パネルの構成を示す模式図。
【図４】本発明の一実施形態における色調検出手段の配置位置を示す図。
【図５】本発明の一実施形態における右目用画像及び左目用画像を示す図。
【図６】本発明の一実施形態における検査処理の工程を示すフローチャート。
【符号の説明】
【００４９】
１…検査装置、９…画像表示装置、３１…動作制御部（表示制御部）、３２…色調取得部、３３…良否判定部、Ｓ１…ステップ（表示制御工程、表示制御ステップ）、Ｓ２…ステップ（色調取得工程、色調取得ステップ）、Ｓ３…ステップ（良否判定工程）。
【図１】
2010166221.tif 000003
【図２】
2010166221.tif 000004
【図３】
2010166221.tif 000005
【図４】
2010166221.tif 000006
【図５】
2010166221.tif 000007
【図６】
2010166221.tif 000008